(57)【要約】【課題】放送波の受信を要しない映像コンテンツについての視聴を調査できる視聴確認システムを提供する。【解決手段】コンテンツ特徴量記憶手段８１は、視聴調査対象とする映像コンテンツの特徴量であるコンテンツ特徴量と、映像コンテンツを識別する識別子であるコンテンツＩＤとを対応付けて記憶する。映像表示手段８２は、映像コンテンツを表示する。画像抽出手段８３は、映像表示手段８２に表示される映像コンテンツから画像を抽出する。特徴量算出手段８４は、抽出された画像の特徴量である画像特徴量を算出する。視聴状況結果送信手段８５は、画像特徴量とコンテンツ特徴量とを比較し、映像表示手段８２に表示される映像コンテンツが視聴調査対象とする映像コンテンツであると判断した場合に、その映像コンテンツを示すコンテンツＩＤを視聴調査装置９０に送信する。【選択図】図５
2012094933.tif 000002
【特許請求の範囲】
【請求項１】
映像コンテンツの視聴に用いられる視聴端末と、
前記視聴端末による映像コンテンツの視聴状況を調査する視聴調査装置とを備え、
前記視聴端末は、
視聴調査対象とする映像コンテンツの特徴量であるコンテンツ特徴量と、映像コンテンツを識別する識別子であるコンテンツＩＤとを対応付けて記憶するコンテンツ特徴量記憶手段と、
映像コンテンツを表示する映像表示手段と、
前記映像表示手段に表示される映像コンテンツから画像を抽出する画像抽出手段と、
抽出された画像の特徴量である画像特徴量を算出する特徴量算出手段と、
前記画像特徴量と前記コンテンツ特徴量とを比較し、前記映像表示手段に表示される映像コンテンツが視聴調査対象とする映像コンテンツであると判断した場合に、当該映像コンテンツを示すコンテンツＩＤを前記視聴調査装置に送信する視聴状況結果送信手段とを備えた
ことを特徴とする視聴確認システム。
【請求項２】
映像コンテンツの視聴に用いられる視聴端末と、
前記視聴端末による映像コンテンツの視聴状況を調査する視聴調査装置と、
前記視聴端末が表示する映像コンテンツを撮影する撮影装置とを備え、
前記視聴端末は、
視聴調査対象とする映像コンテンツの特徴量であるコンテンツ特徴量と、映像コンテンツを識別する識別子であるコンテンツＩＤとを対応付けて記憶するコンテンツ特徴量記憶手段と、
映像コンテンツを表示する映像表示手段と、
前記映像表示手段が表示した映像コンテンツから抽出される画像の特徴量である画像特徴量を算出する特徴量算出手段と、
前記画像特徴量と前記コンテンツ特徴量とを比較し、前記映像表示手段に表示される映像コンテンツが視聴調査対象とする映像コンテンツであると判断した場合に、当該映像コンテンツを示すコンテンツＩＤを前記視聴調査装置に送信する視聴状況結果送信手段とを備え、
前記撮影装置は、
前記映像表示手段に表示される映像コンテンツを撮影し、撮影された映像コンテンツから画像を抽出する撮影画像抽出手段を備え、
前記視聴端末の特徴量算出手段は、前記撮影画像抽出手段により抽出された画像の画像特徴量を算出する
ことを特徴とする視聴確認システム。
【請求項３】
視聴状況結果送信手段は、
画像特徴量とコンテンツ特徴量との類似度を算出し、当該類似度が予め定められた基準値を上回る場合に、映像表示手段に表示される映像コンテンツが視聴調査対象とする映像コンテンツであると判断する
請求項１または請求項２記載の視聴確認システム。
【請求項４】
視聴調査装置は、
視聴調査対象とする映像コンテンツ及び当該映像コンテンツのコンテンツＩＤを記憶する映像コンテンツ記憶手段と、
前記映像コンテンツ記憶手段に記憶された映像コンテンツのコンテンツ特徴量を算出し、当該コンテンツ特徴量と前記映像コンテンツのコンテンツＩＤとを視聴端末に送信するコンテンツ特徴量算出手段とを備え、
視聴端末は、
前記視聴調査装置から受信したコンテンツ特徴量とコンテンツＩＤとを、コンテンツ特徴量記憶手段に記憶させる特徴量登録手段とを備えた
請求項１から請求項３のうちのいずれか１項に記載の視聴確認システム。
【請求項５】
視聴調査装置は、
視聴端末から受信したコンテンツＩＤを収集する視聴状況収集手段を備えた
請求項１から請求項４のうちのいずれか１項に記載の視聴確認システム。
【請求項６】
視聴調査対象とする映像コンテンツの特徴量であるコンテンツ特徴量と、映像コンテンツを識別する識別子であるコンテンツＩＤとを対応付けて記憶するコンテンツ特徴量記憶手段と、
映像コンテンツを表示する映像表示手段と、
前記映像表示手段に表示される映像コンテンツから画像を抽出する画像抽出手段と、
抽出された画像の特徴量である画像特徴量を算出する特徴量算出手段と、
前記画像特徴量と前記コンテンツ特徴量とを比較し、前記映像表示手段に表示される映像コンテンツが視聴調査対象とする映像コンテンツであると判断した場合に、当該映像コンテンツを示すコンテンツＩＤを、映像コンテンツの視聴状況を調査する視聴調査装置に送信する視聴状況結果送信手段とを備えた
ことを特徴とする視聴端末。
【請求項７】
視聴調査対象とする映像コンテンツの特徴量であるコンテンツ特徴量と、映像コンテンツを識別する識別子であるコンテンツＩＤとを対応付けて記憶するコンテンツ特徴量記憶手段と、
映像コンテンツを表示する映像表示手段と、
前記映像表示手段が表示した映像コンテンツから抽出される画像の特徴量である画像特徴量を算出する特徴量算出手段と、
前記画像特徴量と前記コンテンツ特徴量とを比較し、前記映像表示手段に表示される映像コンテンツが視聴調査対象とする映像コンテンツであると判断した場合に、当該映像コンテンツを示すコンテンツＩＤを前記視聴調査装置に送信する視聴状況結果送信手段とを備え、
前記特徴量算出手段は、前記映像表示手段に表示される映像コンテンツを撮影し、撮影された映像コンテンツから画像を抽出する撮影画像抽出手段によって抽出された当該画像の画像特徴量を算出する
ことを特徴とする視聴端末。
【請求項８】
映像コンテンツを表示する映像表示手段に表示された映像コンテンツから画像を抽出し、
抽出された画像の特徴量である画像特徴量を算出し、
視聴調査対象とする映像コンテンツの特徴量であるコンテンツ特徴量と、映像コンテンツを識別する識別子であるコンテンツＩＤとを対応付けて記憶するコンテンツ特徴量記憶手段に記憶された当該コンテンツ特徴量と、前記画像特徴量とを比較し、前記映像表示手段に表示される映像コンテンツが視聴調査対象とする映像コンテンツであると判断された場合に、当該映像コンテンツに対応するコンテンツＩＤを、映像コンテンツの視聴状況を調査する視聴調査装置に送信する
ことを特徴とする視聴確認方法。
【請求項９】
視聴調査対象とする映像コンテンツの特徴量であるコンテンツ特徴量と、映像コンテンツを識別する識別子であるコンテンツＩＤとを対応付けて記憶するコンテンツ特徴量記憶手段と、映像コンテンツを表示する映像表示手段とを備えたコンピュータに適用される視聴確認プログラムであって、
前記コンピュータに、
前記映像表示手段に表示される映像コンテンツから画像を抽出する画像抽出処理、
抽出された画像の特徴量である画像特徴量を算出する特徴量算出処理、および、
前記画像特徴量と前記コンテンツ特徴量とを比較し、前記映像表示手段に表示される映像コンテンツが視聴調査対象とする映像コンテンツであると判断した場合に、当該映像コンテンツを示すコンテンツＩＤを、映像コンテンツの視聴状況を調査する視聴調査装置に送信する視聴状況結果送信処理
を実行させるための視聴確認プログラム。
【発明の詳細な説明】
【技術分野】
【０００１】
本発明は、放送波の受信を要しない映像コンテンツの視聴を確認する視聴確認システム、視聴端末、視聴確認方法および視聴確認プログラムに関する。
【背景技術】
【０００２】
放送番組の視聴調査は、調査対象とされた家庭のテレビ受像機に取り付けられたメディアセンサを用いて行われることが知られている。調査対象の家庭の視聴チャンネルをメディアセンサで測定することで、番組の視聴率などを把握することが可能になる。
【０００３】
また、特許文献１には、アナログ放送、ディジタル放送等の放送形態によらず、視聴調査を行うことができる視聴調査システムが記載されている。特許文献１に記載された視聴調査システムでは、視聴調査サーバが、放送されている各チャンネルの番組の映像から映像特徴量を生成し、生成した映像特徴量をチャンネルごとのバッファに記憶させる。そして、視聴番組監視端末が、番組の映像信号から映像特徴量を生成し、生成した映像特徴量を視聴調査サーバに送信すると、視聴調査サーバが、受信した映像特徴量とバッファに記憶された映像特徴量とを比較して、視聴者が視聴しているチャンネルを特定する。
【０００４】
なお、特許文献２には、ＥＰＧ（Electronic Program Guide）用メタデータについて記載されている。特許文献２に記載されたＥＰＧ用メタデータとは、配信中のコンテンツの制御とは直接関係せず、受信端末内のＥＰＧを表示する際に主に利用されるメタデータであり、コンテンツの蓄積とは関係無く受信端末に蓄積されるデータである。
【先行技術文献】
【特許文献】
【０００５】
【特許文献１】再表ＷＯ２００５／０１１２９４号（段落００６１，００６６，００６９、図１）
【特許文献２】特開２００２−１０１０８６号公報（段落００４１）
【発明の概要】
【発明が解決しようとする課題】
【０００６】
一方、上述したメディアセンサは、視聴チャンネルを調査する装置であるため、例えば、放送が録画されたコンテンツ（以下、録画コンテンツ）や、ＤＶＤ（Digital Versatile Disc）などの媒体に記録されたコンテンツ（以下、媒体記録コンテンツ）の視聴を調査することはできないという問題がある。また、録画コンテンツのように、各利用者が任意に作成するコンテンツに対してまで特許文献２に記載されるようなメタデータを予め用意することは困難である。
【０００７】
一方、特許文献１に記載された視聴調査システムは、放送される映像の映像特徴量をその都度バッファに記憶し、端末から送信される映像特徴量とバッファに記憶された映像特徴量とを比較することで視聴を調査するものである。
【０００８】
しかし、バッファに記憶できる映像特徴量の容量には限界がある。そのため、視聴の時期が未定である録画コンテンツや、そもそも放送の対象となっていない媒体記録コンテンツについては、そのコンテンツ内の映像の映像特徴量を、継続してバッファに残しておくことは困難である。よって、特許文献１に記載された視聴調査システムでは、このようなコンテンツについて視聴の調査をすることは困難であるといえる。録画コンテンツや媒体記録コンテンツのように、放送波の受信を要しない映像コンテンツについても、その映像コンテンツの視聴を調査できることが望ましい。
【０００９】
そこで、本発明は、放送波の受信を要しない映像コンテンツについての視聴を調査できる視聴確認システム、視聴端末、視聴確認方法および視聴確認プログラムを提供することを目的とする。
【課題を解決するための手段】
【００１０】
本発明による視聴確認システムは、映像コンテンツの視聴に用いられる視聴端末と、記視聴端末による映像コンテンツの視聴状況を調査する視聴調査装置とを備え、視聴端末が、視聴調査対象とする映像コンテンツの特徴量であるコンテンツ特徴量と、映像コンテンツを識別する識別子であるコンテンツＩＤとを対応付けて記憶するコンテンツ特徴量記憶手段と、映像コンテンツを表示する映像表示手段と、映像表示手段に表示される映像コンテンツから画像を抽出する画像抽出手段と、抽出された画像の特徴量である画像特徴量を算出する特徴量算出手段と、画像特徴量とコンテンツ特徴量とを比較し、映像表示手段に表示される映像コンテンツが視聴調査対象とする映像コンテンツであると判断した場合に、その映像コンテンツを示すコンテンツＩＤを視聴調査装置に送信する視聴状況結果送信手段とを備えたことを特徴とする。
【００１１】
本発明による他の視聴確認システムは、映像コンテンツの視聴に用いられる視聴端末と、視聴端末による映像コンテンツの視聴状況を調査する視聴調査装置と、視聴端末が表示する映像コンテンツを撮影する撮影装置とを備え、視聴端末が、視聴調査対象とする映像コンテンツの特徴量であるコンテンツ特徴量と、映像コンテンツを識別する識別子であるコンテンツＩＤとを対応付けて記憶するコンテンツ特徴量記憶手段と、映像コンテンツを表示する映像表示手段と、映像表示手段が表示した映像コンテンツから抽出される画像の特徴量である画像特徴量を算出する特徴量算出手段と、画像特徴量とコンテンツ特徴量とを比較し、映像表示手段に表示される映像コンテンツが視聴調査対象とする映像コンテンツであると判断した場合に、その映像コンテンツを示すコンテンツＩＤを視聴調査装置に送信する視聴状況結果送信手段とを備え、撮影装置が、映像表示手段に表示される映像コンテンツを撮影し、撮影された映像コンテンツから画像を抽出する撮影画像抽出手段を備え、視聴端末の特徴量算出手段が、撮影画像抽出手段により抽出された画像の画像特徴量を算出することを特徴とする。
【００１２】
本発明による視聴端末は、視聴調査対象とする映像コンテンツの特徴量であるコンテンツ特徴量と、映像コンテンツを識別する識別子であるコンテンツＩＤとを対応付けて記憶するコンテンツ特徴量記憶手段と、映像コンテンツを表示する映像表示手段と、映像表示手段に表示される映像コンテンツから画像を抽出する画像抽出手段と、抽出された画像の特徴量である画像特徴量を算出する特徴量算出手段と、画像特徴量とコンテンツ特徴量とを比較し、映像表示手段に表示される映像コンテンツが視聴調査対象とする映像コンテンツであると判断した場合に、その映像コンテンツを示すコンテンツＩＤを、映像コンテンツの視聴状況を調査する視聴調査装置に送信する視聴状況結果送信手段とを備えたことを特徴とする。
【００１３】
本発明による他の視聴端末は、視聴調査対象とする映像コンテンツの特徴量であるコンテンツ特徴量と、映像コンテンツを識別する識別子であるコンテンツＩＤとを対応付けて記憶するコンテンツ特徴量記憶手段と、映像コンテンツを表示する映像表示手段と、映像表示手段が表示した映像コンテンツから抽出される画像の特徴量である画像特徴量を算出する特徴量算出手段と、画像特徴量とコンテンツ特徴量とを比較し、映像表示手段に表示される映像コンテンツが視聴調査対象とする映像コンテンツであると判断した場合に、その映像コンテンツを示すコンテンツＩＤを視聴調査装置に送信する視聴状況結果送信手段とを備え、特徴量算出手段が、映像表示手段に表示される映像コンテンツを撮影し、撮影された映像コンテンツから画像を抽出する撮影画像抽出手段によって抽出されたその画像の画像特徴量を算出することを特徴とする。
【００１４】
本発明による視聴確認方法は、映像コンテンツを表示する映像表示手段に表示された映像コンテンツから画像を抽出し、抽出された画像の特徴量である画像特徴量を算出し、視聴調査対象とする映像コンテンツの特徴量であるコンテンツ特徴量と、映像コンテンツを識別する識別子であるコンテンツＩＤとを対応付けて記憶するコンテンツ特徴量記憶手段に記憶されたそのコンテンツ特徴量と、画像特徴量とを比較し、映像表示手段に表示される映像コンテンツが視聴調査対象とする映像コンテンツであると判断された場合に、その映像コンテンツに対応するコンテンツＩＤを、映像コンテンツの視聴状況を調査する視聴調査装置に送信することを特徴とする。
【００１５】
本発明による視聴確認プログラムは、視聴調査対象とする映像コンテンツの特徴量であるコンテンツ特徴量と、映像コンテンツを識別する識別子であるコンテンツＩＤとを対応付けて記憶するコンテンツ特徴量記憶手段と、映像コンテンツを表示する映像表示手段とを備えたコンピュータに適用される視聴確認プログラムであって、コンピュータに、映像表示手段に表示される映像コンテンツから画像を抽出する画像抽出処理、抽出された画像の特徴量である画像特徴量を算出する特徴量算出処理、および、画像特徴量とコンテンツ特徴量とを比較し、映像表示手段に表示される映像コンテンツが視聴調査対象とする映像コンテンツであると判断した場合に、その映像コンテンツを示すコンテンツＩＤを、映像コンテンツの視聴状況を調査する視聴調査装置に送信する視聴状況結果送信処理を実行させることを特徴とする。
【発明の効果】
【００１６】
本発明によれば、放送波の受信を要しない映像コンテンツについての視聴を調査できる。
【図面の簡単な説明】
【００１７】
【図１】本発明による視聴確認システムの一実施形態を示すブロック図である。
【図２】コンテンツ特徴量を視聴端末２０に登録する処理の例を示すフローチャートである。
【図３】視聴状況を調査する処理の例を示すフローチャートである。
【図４】本発明による視聴確認システムの変形例を示すブロック図である。
【図５】本発明による視聴確認システムの最小構成の例を示すブロック図である。
【図６】本発明による視聴端末の最小構成の例を示すブロック図である。
【図７】本発明による視聴確認システムの他の最小構成の例を示すブロック図である。
【図８】本発明による視聴端末の他の最小構成の例を示すブロック図である。
【図９】特徴量登録手段を備えた視聴確認システムの例を示すブロック図である。
【発明を実施するための形態】
【００１８】
以下、本発明の実施形態を図面を参照して説明する。
【００１９】
図１は、本発明による視聴確認システムの一実施形態を示すブロック図である。本実施形態による視聴確認システムは、コンテンツの視聴状況を調査する視聴調査サーバ１０と、映像コンテンツの視聴に用いられる視聴端末２０とを備えている。なお、図１に例示する視聴確認システムでは、視聴端末２０を１台のみ示しているが、視聴端末２０は１台であってもよく、複数台であってもよい。
【００２０】
視聴調査サーバ１０は、コンテンツデータベース（以下、コンテンツＤＢと記す。）１０１と、映像特徴量抽出手段１０２と、視聴状況収集手段１０３とを備えている。
【００２１】
コンテンツＤＢ１０１は、調査対象とする映像コンテンツと、その映像コンテンツを識別する識別子（以下、コンテンツＩＤと記す。）を記憶する。映像コンテンツ及びコンテンツＩＤは、例えば、ユーザ等により予め記憶される。
【００２２】
映像特徴量抽出手段１０２は、コンテンツＤＢ１０１に記憶された映像コンテンツから、その映像コンテンツの特徴量（以下、コンテンツ特徴量と記す。）を算出する。コンテンツ特徴量には、後述する画像特徴量抽出手段２０３が映像コンテンツから算出する特徴量と同様の特徴量が用いられる。なお、特徴量の算出方法については後述する。そして、映像特徴量抽出手段１０２は、算出したコンテンツ特徴量を視聴端末２０に送信する。映像特徴量抽出手段１０２が特徴量を算出する対象は、映像コンテンツ中の一部の静止画であってもよく、一部または全部の動画であってもよい。
【００２３】
視聴状況収集手段１０３は、視聴端末２０で視聴されたコンテンツＩＤを収集する。具体的には、視聴状況収集手段１０３は、各視聴端末２０から送信されるコンテンツＩＤを受信し、そのコンテンツＩＤを収集する。このコンテンツＩＤを収集することで、放送波の受信を要しない映像コンテンツについての視聴を調査できることになる。
【００２４】
視聴端末２０は、映像表示手段２０１と、キャプチャ手段２０２と、画像特徴量抽出手段２０３と、記憶部２０４と、視聴状況把握手段２０５とを備えている。
【００２５】
記憶部２０４は、視聴調査対象とする映像コンテンツの特徴量（以下、コンテンツ特徴量と記す。）と、その映像コンテンツのコンテンツＩＤとを対応付けて記憶する。記憶部２０４は、例えば、視聴調査サーバ１０が算出したコンテンツＩＤおよびコンテンツ特徴量を記憶する。具体的には、視聴調査サーバ１０からコンテンツＩＤおよびコンテンツ特徴量を受信したとき、特徴量登録手段（図示せず）が記憶部２０４に受信した情報を記憶させればよい。ただし、コンテンツＩＤおよびコンテンツ特徴量の送信元は、視聴調査サーバ１０に限定されず、他の装置であってもよい。
【００２６】
映像表示手段２０１は、映像コンテンツを表示する。映像表示手段２０１は、例えば、ディスプレイ装置やモニタ装置により実現される。
【００２７】
キャプチャ手段２０２は、映像表示手段２０１に映し出された映像をキャプチャする。すなわち、キャプチャ手段２０２は、映像表示手段２０１に表示される映像コンテンツから画像を抽出する。また、キャプチャ手段２０２は、抽出した画像をメモリ（図示せず）等に記憶させてもよい。キャプチャ手段２０２がキャプチャする画像は、動画であってもよく、静止画であってもよい。すなわち、キャプチャ手段２０２がキャプチャする画像の長さは、予め定めておけばよい。
【００２８】
また、キャプチャ手段２０２が画像をキャプチャする時間間隔についても、０．１秒間隔、１０秒間隔などの任意の時間間隔を予め定めておけばよい。これらの時間間隔は、任意の時間に設定可能である。
【００２９】
キャプチャ手段２０２は、スクリーンキャプチャー機能を備えた装置や、ビデオキャプチャー機能を備えた装置などにより実現される。
【００３０】
画像特徴量抽出手段２０３は、キャプチャされた画像から特徴量を抽出する。具体的には、画像特徴量抽出手段２０３は、キャプチャ手段２０２が抽出した画像の特徴量（以下、画像特徴量と記す。）を算出する。画像特徴量抽出手段２０３は、例えば、「Ｃｏｌｏｒ Ｌａｙｏｕｔ（以下、カラーレイアウトと記す。）」と呼ばれる特徴量を画像特徴量として算出してもよい。以下、画像特徴量およびコンテンツ特徴量として、カラーレイアウトを用いる場合について説明する。
【００３１】
カラーレイアウトは、以下の例示する式１により算出される。
【００３２】
【数１】
2012094933.tif 000003
【００３３】
ここで、ｎＹは、輝度成分係数の数であり、ｎＣは色差成分係数の数である。式１においては、ｎＹを６とし、ｎＣを３または６とすることが好ましい。以下、ｎＹを６とし、ｎＣを３とする場合を例に説明する。また、Ｙｉ，Ｃｂｊ，Ｃｒｊは、それぞれ映像の、Ｙ、Ｃｂ、Ｃｒ成分からＤＣＴ変換（Discrete Cosine Transform ：離散コサイン変換）によって得られる係数を量子化した値である。
【００３４】
画像特徴量抽出手段２０３は、キャプチャ手段２０２が抽出した画像の映像信号をサンプリングして、静止画として表される映像を連続的に抽出する。そして、画像特徴量抽出手段２０３は、サンプリングして得られた映像（静止画）を分割する。ここでは、６４（８×８）個のブロックに分割する場合を例にする。画像特徴量抽出手段２０３は、６４個に分割した各ブロックから、Ｙ、ＣｂおよびＣｒの成分を抽出する。なお、映像がＲ、ＧおよびＢの成分で表されている場合には、Ｒ、Ｇ、Ｂ成分からＹ、Ｃｂ、Ｃｒ成分への変換式を用いて、Ｙ、Ｃｂ、Ｃｒ成分を算出すればよい。
【００３５】
画像特徴量抽出手段２０３は、６４個の各ブロックに対応するＹ成分に対しＤＣＴ変換を行う。同様に、画像特徴量抽出手段２０３は、６４個の各ブロックに対応するＣｂ成分、Ｃｒ成分に対しても、それぞれＤＣＴ変換を行う。このようにして、６４個のブロックごとに係数が算出される。
【００３６】
画像特徴量抽出手段２０３は、ジグザグスキャンによって、Ｙ成分に対するＤＣＴ変換結果から、ｎＹ個（本例では６個）の係数を取り出す。さらに、画像特徴量抽出手段２０３は、ジグザグスキャンによって、Ｃｒ成分に対するＤＣＴ変換結果から、ｎＣ個（３個）の係数を取り出す。続いて、画像特徴量抽出手段２０３は、ジグザグスキャンによって抽出した係数Ｙ１〜Ｙ６、Ｃｂ１〜Ｃｂ３、およびＣｒ１〜Ｃｒ３を量子化する。この結果、映像特徴量として、上述の式１によって表されるカラーレイアウトが得られる。
【００３７】
なお、画像特徴量は、カラーレイアウトに限定されない。例えば、モーションアクティビティや、カラーヒストグラム（色の割合をヒストグラムで表現したもの）、画像全体の代表色、模様、エッジ分布などを特徴量として使用してもよい。なお、画像特徴量の算出方法は広く知られているため、詳細な説明は省略する。
【００３８】
視聴状況把握手段２０５は、画像特徴量抽出手段２０３が算出した画像特徴量と記憶部２０４が記憶するコンテンツ特徴量とを比較し、映像表示手段２０１に表示される映像コンテンツが視聴調査対象とする映像コンテンツであると判断される場合に、比較結果を視聴調査サーバ１０（より具体的には、視聴状況収集手段１０３）に送信する。比較結果には、視聴調査対象とされた映像コンテンツのコンテンツＩＤが含まれる。
【００３９】
具体的には、視聴状況把握手段２０５は、画像特徴量抽出手段２０３が算出した画像特徴量と記憶部２０４に記憶されたコンテンツ特徴量との類似度を算出し、類似度が予め定められた基準値を上回る場合に、視聴調査対象とする映像コンテンツであると判定する。視聴調査対象とする映像コンテンツであると判定された場合、視聴状況把握手段２０５は、視聴調査対象とする映像コンテンツのコンテンツＩＤを視聴調査サーバ１０に送信する。このとき、視聴状況把握手段２０５は、比較結果とともに視聴端末２０を識別する情報や、視聴時間などを併せて視聴調査サーバ１０に送信してもよい。
【００４０】
以下、画像特徴量抽出手段２０３が算出した画像特徴量と記憶部２０４に記憶されたコンテンツ特徴量との類似度を算出する方法について説明する。まず、視聴状況把握手段２０５は、キャプチャ手段２０２がキャプチャした画像の長さに相当するコンテンツ特徴量を記憶部２０４から読み取る。視聴状況把握手段２０５は、読み取ったコンテンツ特徴量と、画像特徴量抽出手段２０３が算出した画像特徴量とを比較する。特徴量としてカラーレイアウトを用いる場合、特徴量の差異（距離と呼ぶ場合もある。）は、以下に例示する式２を用いて算出される。
【００４１】
【数２】
2012094933.tif 000004
【００４２】
式２では、画像特徴量抽出手段２０３が算出した画像特徴量と記憶部２０４に記憶されたコンテンツ特徴量のうちの一方のカラーレイアウトを表す係数にはダッシュ（’）を設けず、他方にはダッシュ（’）を設けて表している。また、ｗｙｉ，ｗｂｉ，ｗｒｉは、それぞれ重み係数であり、任意のものを用いてよいが、例えば、直流成分の計算を行う場合には「４」とし、第２〜３係数（Ｙ２，Ｙ３，Ｃｂ２，Ｃｂ３，Ｃｒ２，Ｃｒ３）の計算を行う場合には「２」とし、第４〜６係数（Ｙ４〜Ｙ６）の計算を行う場合には「１」とすればよい。視聴状況把握手段２０５は、このように算出された特徴量の差異を類似度として用いる。この場合、特徴量の差異が小さいほど（すなわち、類似度が小さいほど）より類似していることを示す。
【００４３】
算出された類似度が基準値を下回る場合、視聴状況把握手段２０５は、映像表示手段２０１が表示する映像コンテンツが視聴調査対象とする映像コンテンツであると判定する。そして、視聴状況把握手段２０５は、その映像コンテンツのコンテンツＩＤを、視聴調査サーバ１０に送信する。
【００４４】
なお、算出された類似度が基準値以上の場合、視聴状況把握手段２０５は、判定対象の映像コンテンツの長さだけ上記処理を繰り返す。また、視聴調査対象とする映像コンテンツが複数存在する場合、視聴状況把握手段２０５は、各映像コンテンツに対して同様の判定を繰り返せばよい。
【００４５】
なお、上記説明では、値が小さいほどより類似していることを示す類似度を用いる場合について説明した。一方、値が大きいほどより類似していることを示す類似度を用いる場合、視聴状況把握手段２０５は、算出された類似度が予め定められた基準値を上回る場合に、映像表示手段２０１が表示する映像コンテンツが視聴調査対象とする映像コンテンツであると判定すればよい。
【００４６】
視聴端末２０は、例えば、テレビジョン受信器やパーソナルコンピュータなどにより実現される。また、記憶部２０４は、例えば、磁気ディスク等により実現される。
【００４７】
キャプチャ手段２０２と、画像特徴量抽出手段２０３と、視聴状況把握手段２０５とは、プログラム（視聴確認プログラム）に従って動作するコンピュータのＣＰＵによって実現される。例えば、プログラムは、視聴端末２０の記憶部２０４に記憶され、ＣＰＵは、そのプログラムを読み込み、プログラムに従って、キャプチャ手段２０２、画像特徴量抽出手段２０３、および、視聴状況把握手段２０５として動作してもよい。また、キャプチャ手段２０２と、画像特徴量抽出手段２０３と、視聴状況把握手段２０５とは、それぞれが専用のハードウェアで実現されていてもよい。
【００４８】
次に、動作について説明する。図２は、視聴調査サーバ１０が算出したコンテンツ特徴量を視聴端末２０の記憶部２０４に登録する処理の例を示すフローチャートである。
【００４９】
以下、視聴調査サーバ１０のコンテンツＤＢ１０１が、テレビ放送を記録（録画）したコンテンツやＤＶＤコンテンツ等の映像コンテンツと、映像コンテンツを一意に示すコンテンツＩＤとを予め記憶しているものとする。
【００５０】
まず、映像特徴量抽出手段１０２は、コンテンツＤＢ１０１より映像コンテンツとコンテンツＩＤを読み取る（ステップＳ１）。そして、映像特徴量抽出手段１０２は、映像コンテンツから画像の特徴量（すなわち、コンテンツ特徴量）を算出し、算出したコンテンツ特徴量とコンテンツＩＤとを視聴端末２０に送信して、記憶部２０４に記憶させる（ステップＳ２）。
【００５１】
次に、視聴状況を調査する動作について説明する。図３は、視聴状況を調査する処理の例を示すフローチャートである。視聴端末２０の映像表示手段２０１は、テレビ放送を記録（録画）したコンテンツやＤＶＤコンテンツ等、任意の映像コンテンツを表示しているものとする。このとき、キャプチャ手段２０２は、映像表示手段２０１に表示されている映像コンテンツを一定間隔でキャプチャし（ステップＳ３）、キャプチャした画像を画像特徴量抽出手段２０３へ送信する（ステップＳ４）。
【００５２】
画像特徴量抽出手段２０３は、受信したキャプチャ画像から特徴量を算出し、算出した画像特徴量を視聴状況把握手段２０５へ送信する（ステップＳ５）。視聴状況把握手段２０５は、受信した画像特徴量と記憶部２０４が記憶しているコンテンツ特徴量とを比較する（ステップＳ６）。
【００５３】
比較した特徴量が一致した場合、視聴状況把握手段２０５は、記憶部２０４からコンテンツ特徴量に対応するコンテンツＩＤを読み取り（ステップＳ７）、そのコンテンツＩＤを視聴調査サーバ１０（より具体的には、視聴状況収集手段１０３）へ送信する（ステップ８）。なお、視聴状況把握手段２０５は、特徴量が一致する場合だけでなく、画像特徴量とコンテンツ特徴量との類似度が予め定められた基準値を満たす場合に、そのコンテンツ特徴量に対応するコンテンツＩＤを視聴調査サーバ１０に送信してもよい。
【００５４】
以上のように、本実施形態によれば、キャプチャ手段２０２が、映像表示手段２０１に表示された映像コンテンツから画像を抽出し、画像特徴量抽出手段２０３が、抽出された画像の画像特徴量を算出する。そして、視聴状況把握手段２０５が、記憶部２０４に記憶されたコンテンツ特徴量と画像特徴量とを比較し、映像表示手段２０１に表示される映像コンテンツが視聴調査対象とする映像コンテンツであると判断された場合に、その映像コンテンツに対応するコンテンツＩＤを、視聴調査サーバ１０（より具体的には、視聴状況収集手段１０３）に送信する。そのような構成により、放送波の受信を要しない映像コンテンツについての視聴を調査できる。
【００５５】
また、例えば、特許文献２に記載された方法では、映像コンテンツごとにメタデータを準備する必要がある。しかし、本実施形態によれば、映像コンテンツから特徴量を抽出し、その特徴量を視聴調査対象の映像の特徴量と比較して視聴状況を把握するため、視聴端末２０で視聴され得る映像コンテンツごとに予めメタデータを用意する必要がない。
【００５６】
また、視聴状況把握手段２０５が視聴調査対象とする映像コンテンツであると判定された場合のみ判定結果を視聴調査サーバ１０に送信するため、調査に要する通信量を削減出来る。さらに、視聴調査サーバ１０は、視聴端末２０から受信したコンテンツＩＤを収集する視聴状況収集手段１０３を備えているため、視聴端末２０から受信したコンテンツＩＤを用いて視聴調査を行うことが可能になる。また、視聴端末２０から、視聴端末２０を識別する情報を併せて視聴調査サーバ１０に送信することで、重複カウントを防止できる。さらに、視聴端末２０から視聴時間等を併せて視聴調査サーバ１０に送信することで、映像コンテンツの利用状況を、様々な観点から解析することが可能になる。
【００５７】
次に、本実施形態の変形例について説明する。図４は、本実施形態における視聴確認システムの変形例を示す説明図である。なお、上記実施形態と同様の構成については、図１と同一の符号を付し、説明を省略する。本変形例における視聴確認システムは、視聴調査サーバ１０と、視聴端末２０と、カメラ３０とを備えている。本変形例における視聴端末２０は、キャプチャ手段２０２を備えていない点において、上記実施形態と異なる。なお、視聴調査サーバ１０については、上記実施形態と同様である。
【００５８】
カメラ３０は、キャプチャ手段２０２’を備えている。キャプチャ手段２０２’は、映像表示手段２０１に表示される映像コンテンツを視聴端末２０の外部から撮影し、撮影した映像コンテンツから画像を抽出する。そして、キャプチャ手段２０２’は、抽出した画像を視聴端末２０（より具体的には、画像特徴量抽出手段２０３）に入力する。
【００５９】
このような構成であっても、放送波の受信を要しない映像コンテンツについての視聴を調査できる。この場合、視聴端末２０自身が画像をキャプチャする機能を備えていなくてもよい。
【００６０】
この場合、例えば、図３に例示するフローチャートのステップＳ３において、カメラ３０のキャプチャ手段２０２’が、映像表示手段２０１に表示されている映像コンテンツを一定間隔でキャプチャし、キャプチャした画像を画像特徴量抽出手段２０３へ入力してもよい。
【００６１】
次に、本発明の最小構成について説明する。図５は、本発明による視聴確認システムの最小構成の例を示すブロック図である。本発明による視聴確認システムは、映像コンテンツの視聴に用いられる視聴端末８０（例えば、視聴端末２０）と、視聴端末８０による映像コンテンツの視聴状況を調査する視聴調査装置９０（例えば、視聴調査サーバ１０）とを備えている。
【００６２】
視聴端末８０は、視聴調査対象とする映像コンテンツの特徴量であるコンテンツ特徴量と、映像コンテンツを識別する識別子であるコンテンツＩＤとを対応付けて記憶するコンテンツ特徴量記憶手段８１（例えば、記憶部２０４）と、映像コンテンツを表示する映像表示手段８２（例えば、映像表示手段２０１）と、映像表示手段８２に表示される映像コンテンツから画像を抽出する画像抽出手段８３（例えば、キャプチャ手段２０２）と、抽出された画像の特徴量である画像特徴量（例えば、カラーレイアウト）を算出する特徴量算出手段８４（例えば、画像特徴量抽出手段２０３）と、画像特徴量とコンテンツ特徴量とを比較し、映像表示手段８２に表示される映像コンテンツが視聴調査対象とする映像コンテンツであると判断した場合（例えば、類似度が基準値を上回る場合）に、その映像コンテンツを示すコンテンツＩＤを視聴調査装置９０に送信する視聴状況結果送信手段８５（視聴状況把握手段２０５）とを備えている。
【００６３】
また、図６は、本発明による視聴端末の最小構成の例を示すブロック図である。図６に例示する視聴端末は、図５に例示する視聴端末８０の内容と同様である。
【００６４】
以上のような構成により、放送波の受信を要しない映像コンテンツについての視聴を調査できる。
【００６５】
図７は、本発明による視聴確認システムの他の最小構成の例を示すブロック図である。本発明による視聴確認システムは、視聴端末７０（例えば、視聴端末２０）と、視聴調査装置９０（例えば、視聴調査サーバ１０）と、視聴端末が表示する映像コンテンツを撮影する撮影装置６０（例えば、カメラ３０）とを備えている。
【００６６】
視聴端末７０は、コンテンツ特徴量記憶手段８１（記憶部２０４）と、映像表示手段８２（映像表示手段２０１）と、映像表示手段８２が表示した映像コンテンツから抽出される画像の特徴量である画像特徴量を算出する特徴量算出手段８６（画像特徴量抽出手段２０３）と、視聴状況結果送信手段８５（視聴状況把握手段２０５）とを備えている。なお、コンテンツ特徴量記憶手段８１、映像表示手段８２および視聴状況結果送信手段８５の内容は、図５に例示する視聴確認システムの内容と同様である。
【００６７】
撮影装置６０は、映像表示手段８２に表示される映像コンテンツを撮影し、撮影された映像コンテンツから画像を抽出する撮影画像抽出手段８７（例えば、キャプチャ手段２０２’）を備えている。そして、視聴端末７０の特徴量算出手段８６は、撮影画像抽出手段８７により抽出された画像の画像特徴量を算出する。
【００６８】
また、図８は、本発明による視聴端末の他の最小構成の例を示すブロック図である。図８に例示する視聴端末は、図７に例示する視聴端末７０の内容と同様である。
【００６９】
そのような構成によっても、放送波の受信を要しない映像コンテンツについての視聴を調査できる。
【００７０】
また、図５及び図６に例示する視聴端末８０と、図７及び図８に例示する視聴端末７０は、それぞれ、視聴調査装置から受信したコンテンツ特徴量とコンテンツＩＤとを、コンテンツ特徴量記憶手段８１に記憶させる特徴量登録手段８８を備えていてもよい。図５に例示する視聴確認システムにおける視聴端末８０に、特徴量登録手段８８をさらに備える構成の例を図９に示す。なお、図６に例示する視聴端末８０、図７及び図８に例示する視聴端末７０も同様に、特徴量登録手段８８を備えていてもよい。
【００７１】
また、上記の実施形態の一部又は全部は、以下の付記のようにも記載されうるが、以下には限られない。
【００７２】
（付記１）映像コンテンツの視聴に用いられる視聴端末と、前記視聴端末による映像コンテンツの視聴状況を調査する視聴調査装置とを備え、前記視聴端末は、視聴調査対象とする映像コンテンツの特徴量であるコンテンツ特徴量と、映像コンテンツを識別する識別子であるコンテンツＩＤとを対応付けて記憶するコンテンツ特徴量記憶手段と、映像コンテンツを表示する映像表示手段と、前記映像表示手段に表示される映像コンテンツから画像を抽出する画像抽出手段と、抽出された画像の特徴量である画像特徴量を算出する特徴量算出手段と、前記画像特徴量と前記コンテンツ特徴量とを比較し、前記映像表示手段に表示される映像コンテンツが視聴調査対象とする映像コンテンツであると判断した場合に、当該映像コンテンツを示すコンテンツＩＤを前記視聴調査装置に送信する視聴状況結果送信手段とを備えたことを特徴とする視聴確認システム。
【００７３】
（付記２）映像コンテンツの視聴に用いられる視聴端末と、前記視聴端末による映像コンテンツの視聴状況を調査する視聴調査装置と、前記視聴端末が表示する映像コンテンツを撮影する撮影装置とを備え、前記視聴端末は、視聴調査対象とする映像コンテンツの特徴量であるコンテンツ特徴量と、映像コンテンツを識別する識別子であるコンテンツＩＤとを対応付けて記憶するコンテンツ特徴量記憶手段と、映像コンテンツを表示する映像表示手段と、前記映像表示手段が表示した映像コンテンツから抽出される画像の特徴量である画像特徴量を算出する特徴量算出手段と、前記画像特徴量と前記コンテンツ特徴量とを比較し、前記映像表示手段に表示される映像コンテンツが視聴調査対象とする映像コンテンツであると判断した場合に、当該映像コンテンツを示すコンテンツＩＤを前記視聴調査装置に送信する視聴状況結果送信手段とを備え、前記撮影装置は、前記映像表示手段に表示される映像コンテンツを撮影し、撮影された映像コンテンツから画像を抽出する撮影画像抽出手段を備え、前記視聴端末の特徴量算出手段は、前記撮影画像抽出手段により抽出された画像の画像特徴量を算出することを特徴とする視聴確認システム。
【００７４】
（付記３）視聴状況結果送信手段は、画像特徴量とコンテンツ特徴量との類似度を算出し、当該類似度が予め定められた基準値を上回る場合に、映像表示手段に表示される映像コンテンツが視聴調査対象とする映像コンテンツであると判断する付記１または付記２記載の視聴確認システム。
【００７５】
（付記４）視聴調査装置は、視聴調査対象とする映像コンテンツ及び当該映像コンテンツのコンテンツＩＤを記憶する映像コンテンツ記憶手段と、前記映像コンテンツ記憶手段に記憶された映像コンテンツのコンテンツ特徴量を算出し、当該コンテンツ特徴量と前記映像コンテンツのコンテンツＩＤとを視聴端末に送信するコンテンツ特徴量算出手段とを備え、視聴端末は、前記視聴調査装置から受信したコンテンツ特徴量とコンテンツＩＤとを、コンテンツ特徴量記憶手段に記憶させる特徴量登録手段とを備えた付記１から付記３のうちのいずれか１つに記載の視聴確認システム。
【００７６】
（付記５）視聴調査装置は、視聴端末から受信したコンテンツＩＤを収集する視聴状況収集手段を備えた付記１から付記４のうちのいずれか１つに記載の視聴確認システム。
【００７７】
(付記６）視聴調査対象とする映像コンテンツの特徴量であるコンテンツ特徴量と、映像コンテンツを識別する識別子であるコンテンツＩＤとを対応付けて記憶するコンテンツ特徴量記憶手段と、映像コンテンツを表示する映像表示手段と、前記映像表示手段に表示される映像コンテンツから画像を抽出する画像抽出手段と、抽出された画像の特徴量である画像特徴量を算出する特徴量算出手段と、前記画像特徴量と前記コンテンツ特徴量とを比較し、前記映像表示手段に表示される映像コンテンツが視聴調査対象とする映像コンテンツであると判断した場合に、当該映像コンテンツを示すコンテンツＩＤを、映像コンテンツの視聴状況を調査する視聴調査装置に送信する視聴状況結果送信手段とを備えたことを特徴とする視聴端末。
【００７８】
（付記７）視聴調査対象とする映像コンテンツの特徴量であるコンテンツ特徴量と、映像コンテンツを識別する識別子であるコンテンツＩＤとを対応付けて記憶するコンテンツ特徴量記憶手段と、映像コンテンツを表示する映像表示手段と、前記映像表示手段が表示した映像コンテンツから抽出される画像の特徴量である画像特徴量を算出する特徴量算出手段と、前記画像特徴量と前記コンテンツ特徴量とを比較し、前記映像表示手段に表示される映像コンテンツが視聴調査対象とする映像コンテンツであると判断した場合に、当該映像コンテンツを示すコンテンツＩＤを前記視聴調査装置に送信する視聴状況結果送信手段とを備え、前記特徴量算出手段は、前記映像表示手段に表示される映像コンテンツを撮影し、撮影された映像コンテンツから画像を抽出する撮影画像抽出手段によって抽出された当該画像の画像特徴量を算出することを特徴とする視聴端末。
【００７９】
（付記８）視聴状況結果送信手段は、画像特徴量とコンテンツ特徴量との類似度を算出し、当該類似度が予め定められた基準値を上回る場合に、映像表示手段に表示される映像コンテンツが視聴調査対象とする映像コンテンツであると判断する付記６または付記７記載の視聴端末。
【００８０】
（付記９）映像コンテンツを表示する映像表示手段に表示された映像コンテンツから画像を抽出し、抽出された画像の特徴量である画像特徴量を算出し、視聴調査対象とする映像コンテンツの特徴量であるコンテンツ特徴量と、映像コンテンツを識別する識別子であるコンテンツＩＤとを対応付けて記憶するコンテンツ特徴量記憶手段に記憶された当該コンテンツ特徴量と、前記画像特徴量とを比較し、前記映像表示手段に表示される映像コンテンツが視聴調査対象とする映像コンテンツであると判断された場合に、当該映像コンテンツに対応するコンテンツＩＤを、映像コンテンツの視聴状況を調査する視聴調査装置に送信することを特徴とする視聴確認方法。
【００８１】
（付記１０）画像特徴量とコンテンツ特徴量との類似度を算出し、当該類似度が予め定められた基準値を上回る場合に、映像表示手段に表示される映像コンテンツが視聴調査対象とする映像コンテンツであると判断する付記９視聴確認方法。
【００８２】
（付記１１）視聴調査対象とする映像コンテンツの特徴量であるコンテンツ特徴量と、映像コンテンツを識別する識別子であるコンテンツＩＤとを対応付けて記憶するコンテンツ特徴量記憶手段と、映像コンテンツを表示する映像表示手段とを備えたコンピュータに適用される視聴確認プログラムであって、前記コンピュータに、前記映像表示手段に表示される映像コンテンツから画像を抽出する画像抽出処理、抽出された画像の特徴量である画像特徴量を算出する特徴量算出処理、および、前記画像特徴量と前記コンテンツ特徴量とを比較し、前記映像表示手段に表示される映像コンテンツが視聴調査対象とする映像コンテンツであると判断した場合に、当該映像コンテンツを示すコンテンツＩＤを、映像コンテンツの視聴状況を調査する視聴調査装置に送信する視聴状況結果送信処理を実行させるための視聴確認プログラム。
【００８３】
（付記１２）コンピュータに、視聴状況結果送信処理で、画像特徴量とコンテンツ特徴量との類似度を算出させ、当該類似度が予め定められた基準値を上回る場合に、映像表示手段に表示される映像コンテンツが視聴調査対象とする映像コンテンツであると判断させる付記１１記載の視聴確認プログラム。
【産業上の利用可能性】
【００８４】
本発明は、放送波の受信を要しない映像コンテンツの視聴を確認する視聴確認システムに好適に適用される。
【符号の説明】
【００８５】
１０  視聴調査サーバ
１０１  コンテンツＤＢ
１０２  映像特徴量抽出手段
１０３  視聴状況収集手段
２０  視聴端末
２０１  映像表示手段
２０２，２０２’  キャプチャ手段
２０３  画像特徴量抽出手段
２０４  記憶部
２０５  視聴状況把握手段
３０  カメラ
【図１】
2012094933.tif 000005
【図２】
2012094933.tif 000006
【図３】
2012094933.tif 000007
【図４】
2012094933.tif 000008
【図５】
2012094933.tif 000009
【図６】
2012094933.tif 000010
【図７】
2012094933.tif 000011
【図８】
2012094933.tif 000012
【図９】
2012094933.tif 000013